(57)【特許請求の範囲】
【請求項１】
ドア本体に装着したホルダーと、
該ホルダー内に回転可能に配設したシリンダ本体とからなり、
該シリンダ本体に、
キーを挿入するキー穴を備え、そのキーの挿入方向と直交する方向に付勢するとともに、側縁部に切欠部を形成した複数のタンブラーと、
該各タンブラーに向かって付勢するとともに、キーの挿入前の状態で、タンブラーの側縁部に当接することによりシリンダ本体から突出して前記シリンダ本体を回動不可能とする一方、キーの挿入により前記各タンブラーの切欠部と係合することによりシリンダ本体内に没入して前記シリンダ本体を回動可能とするサイドバーとを設けたシリンダ錠において、
前記タンブラーにおいて、前記キー穴のサイドバー側に段部を設けるとともに、前記シリンダ本体に前記段部と対応した形状の受部を設けたことを特徴とするシリンダ錠。
【請求項２】
前記段部および受部は、互いに嵌合する凹凸からなることを特徴とする請求項１に記載のシリンダ錠。
【発明の詳細な説明】
【０００１】
【発明の属する技術分野】
本発明は、建物や車両のドアに使用されるシリンダ錠に関するものである。
【０００２】
【従来の技術】
従来、この種のシリンダ錠は、ドア本体に装着されるホルダーと、該ホルダー内に回転自在に設けられるシリンダ本体とからなる。そして、このシリンダ本体には、キーの挿入方向と直交する１方向に付勢された複数のタンブラーと、該各タンブラーに向かって付勢されるサイドバーとを配設し、ピッキングによる解錠を困難にしたものが種々提供されている。
【０００３】
前記シリンダ錠のサイドバーは、キーが挿入される前の状態で、タンブラーの側縁部に当接してシリンダ本体から突出し、ホルダーに形成した溝に係合することにより、シリンダ本体を回動不可能に維持する。一方、キーを挿入すると、キーに形成したキー山により各タンブラーを移動させ、その縁に形成した切欠部を整列し、その切欠部にサイドバーが没入することにより、ホルダーに対してシリンダ本体を回動可能とするものである。
【０００４】
【発明が解決しようとする課題】
しかしながら、前記サイドバー方式のシリンダ錠では、キー穴より工具等を挿入し、一枚ずつタンブラーとホルダーとの係合を解除し、その状態を保持させるというピッキングにより、解錠することは非常に困難であるが、シリンダ本体のキー挿入穴から、タンブラーを装着するタンブラー穴を通して薄板状の治具でサイドバーを操作することにより、不正に解錠される可能性がある。
【０００５】
そこで、本発明では、シリンダ本体のキー挿入穴からサイドバーを確実に操作不可能とし、不正解錠を防止できるシリンダ錠を提供することを課題とするものである。
【０００６】
【課題を解決するための手段】
前記課題を解決するため、本発明のシリンダ錠は、ドア本体に装着したホルダーと、該ホルダー内に回転可能に配設したシリンダ本体とからなり、該シリンダ本体に、キーを挿入するキー穴を備え、そのキーの挿入方向と直交する方向に付勢するとともに、側縁部に切欠部を形成した複数のタンブラーと、該各タンブラーに向かって付勢するとともに、キーの挿入前の状態で、タンブラーの側縁部に当接することによりシリンダ本体から突出して前記シリンダ本体を回動不可能とする一方、キーの挿入により前記各タンブラーの切欠部と係合することによりシリンダ本体内に没入して前記シリンダ本体を回動可能とするサイドバーとを設けたシリンダ錠において、前記タンブラーにおいて、前記キー穴のサイドバー側に段部を設けるとともに、前記シリンダ本体に前記段部と対応した形状の受部を設けた構成としている。
【０００７】
具体的には、前記段部および受部は、互いに嵌合する凹凸からなる構成とすることが好ましい。
【０００８】
前記シリンダ錠では、シリンダ本体内にキーを挿入すれば、各タンブラーがシリンダ本体内に移動し、サイドバーがタンブラーの切欠部に係合してシリンダ本体内に没入する。これにより、キーを回転操作すると、シリンダ本体をホルダー内で回転させることができ、開錠又は施錠操作が可能となる。また、キーの挿入前の状態では、切欠部をサイドバーに係合させようとしても、他のタンブラーの付勢力によりサイドバーが戻され、該サイドバーをタンブラーの切欠部に係合させることができないため、ピッキングにより不正に解錠することはできない。しかも、前記タンブラーに段部を設けるとともにシリンダ本体に対応する受部を設けているため、シリンダ本体内からサイドバーの装着部分に通じる直線状の隙間をなくすことができる。そのため、その部分から薄板状の治具を挿入してサイドバーを操作することはできない。
【０００９】
【発明の実施の形態】
以下、本発明の実施の形態を図面に従って説明する。
図１および図２は、本発明の第１実施形態に係る建物用のシリンダ錠を示す。このシリンダ錠は、大略、ホルダー１と、その内部に回転可能に設けられるシリンダ本体１０と、ホルダー１を覆うカバー３２とから構成されている。
【００１０】
前記ホルダー１は、亜鉛やアルミニウム等の金属材料を略円筒状に成形することにより得られる。ホルダー１の外周面には位置決め用の突条２と、逃がし溝３がそれぞれ２つずつ９０度間隔で交互に形成されている。ホルダー１の前面側には、外方に突出するフランジ状の鍔部４が形成され、その中央部には円筒状に突出する筒状部５が設けられている。筒状部５の内面の対称な位置には、軸方向に沿って一対の第１係合溝６（図１中、一方は図示せず）が形成されている。この第１係合溝６は、後述するタンブラー１５の係合凸部２０が係合することにより、シリンダ本体１０を回動不可能とするものである。また、ホルダー１の内面には、前記第１係合溝６とは９０度位相した位置に、シリンダ本体１０から突出したサイドバー２２を収容する一対の第２係合溝７が形成されている。ホルダー１の後端開口部には、図２に示すように、後端から所定範囲に拡開部８が形成され、この拡開部８に連続して一対の係合凹部９が形成されている。
【００１１】
前記シリンダ本体１０は円柱状をなし、その内部には、図３に示すように、複数のタンブラー１５およびサイドバー２２がそれぞれ収容されている。また、このシリンダ本体１０の後端側外周部には、図１に示すように、コンストラクションカム２６が軸方向に沿ってスライド可能に配設されている。
【００１２】
具体的には、前記シリンダ本体１０の軸心には、矩形状のキー挿入穴１１が形成されている。シリンダ本体１０の外周面には、両側から軸方向に所定間隔をもって前記キー挿入穴１１に連通する複数のタンブラー穴１２がそれぞれ穿設され、このタンブラー穴１２にそれぞれ後述するタンブラー１５が配設されている。そして、前記タンブラー穴１２には、図２に示すように、１つ置きの一端部（下端部）にスプリング挿入孔１２ａがそれぞれ形成されている。なお、図示していないが、図２の紙面向こう側にも同じく１つ置きの下端部にスプリング挿入孔１２ａが形成されている。シリンダ本体１０の前面側の外周面には、図３に示すように、略Ｉ字形の開口部１３が形成され、その両端部両側は平坦な取付部１３ａとなっている。シリンダ本体１０の背面側にはフランジ状に突出する鍔部１０ａが形成され、ホルダー１における後端の拡開部８の内縁に嵌合するようになっている。また、本実施形態のシリンダ本体１０には、前記タンブラー穴１２において、サイドバー２２の側である前記開口部１３の側に、後述するタンブラー１５の段部２１と対応する受部１４が設けられている。
【００１３】
前記タンブラー１５は板状をなし、全長の短いコンストラクションキーと全長の長いユーザーキーのいずれにも応動する６枚の前面側のタンブラー１５ａと、ユーザーキーのみに応動する４枚の後方側のタンブラー１５ｂとの１０枚で構成されている。また、これらタンブラー１５には、中央部に矩形状のキー穴１６が穿設されている。各タンブラー１５の一方の側縁部にはサイドバー２２が没入するＶ字状の切欠部１７が形成され、他方の側縁部にはスプリング１８の一端部が圧接するスプリング受部１９が突設されている。さらに、このスプリング受部１９の側の端部には、前記第１係合溝６内に突出して係合する係合凸部２０が設けられている。さらにまた、本実施形態のタンブラー１５には、前記キー穴１６において、後述するサイドバー側に位置する切欠部１７の側に、略Ｖ字形状の溝からなる段部２１が全長にかけて設けられている。
【００１４】
本実施形態では、前記シリンダ本体１０に形成した各タンブラー穴１２において、スプリング挿入孔１２ａが形成された側からタンブラー１５を挿入し、図４（Ａ），（Ｂ）に示すように、これらタンブラー１５が１つ置きに、２方向に分けて外向きに付勢されるように構成している。また、本実施形態では、シリンダ本体１０から突出する前面側の１枚のタンブラー１５ａを付勢するスプリング１８の付勢力のみでサイドバー２２がシリンダ本体１０から突出するようにしているが、数枚のタンブラー１５ａを付勢するスプリングの付勢力を利用すれば、各スプリングの付勢力を弱くすることができる。
【００１５】
前記サイドバー２２は、図３および図４（Ａ），（Ｂ）に示すように、下面が断面三角形状に突出する略直方体形状で、上面両側にはスプリング受部２３がそれぞれ形成されている。このサイドバー２２は、シリンダ本体１０の取付部１３ａに加締めて固定される止め金具２４との間に配設した一対のスプリング２５により、シリンダ本体１０の開口部１３に没入するように付勢されるようになっている。そして、キー４５（図６（Ａ），（Ｂ）参照）の挿入によりタンブラー１５が整列されて切欠部１７が一列に並ぶと、サイドバー２２はこれら切欠部１７に係合してホルダー１内に没入するようになっている。
【００１６】
前記コンストラクションカム２６は、図１に示すようにドーナツ状をなし、その一端側に鍔部２６ａが形成されている。そして、この鍔部２６ａと、前記シリンダ本体１０の鍔部１０ａとの間にはスプリング２７が配設され、コンストラクションカム２６を前面側（図２において右側）に付勢するようになっている。コンストラクションカム２６の外周縁部の対向位置には係合突部２８がそれぞれ形成され、内周面には、係合突部２８の近傍に、背面側のスプリング凹部２９と前面側のタンブラー凹部３０とがそれぞれ形成され、その間にコンストラクションカム２６の前面側への移動を阻止するための係合壁３１が設けられている。すなわち、係合壁３１の前面側のタンブラー凹部３０に係合した後方側のタンブラー１５ｂにより、コンストラクションカム２６は前面側への移動を阻止される。
【００１７】
前記カバー３２は、図１および図２に示すように、一端が略円錐台形状の円筒状をなし、ホルダー１の外周側を覆った状態で、該ホルダー１がネジ止めにより固定されるものである。このカバー３２の円錐面側中央部には、キー４５を挿入可能とするための挿入孔３３が形成され、その内周縁には前記ホルダー１の先端面との間に環状の蓄光部材３４が配設される。この蓄光部材３４は、例えば、ポリカーボネイトに蓄光材料を練り込み、夜間に発光するものが使用される。
【００１８】
次に、前記構成からなる建物用のシリンダ錠の組み立てについて説明する。
まず、シリンダ本体１０のスプリング挿入孔１２ａからスプリング１８を挿入した後、各タンブラー穴１２に対して１つ置きに２方向からタンブラー１５を挿入する。ここで、各タンブラー１５は図示しない冶具等を用いて押し込んだ状態に維持する。
【００１９】
続いて、図３に示すように、シリンダ本体１０の取付部１３ａにスプリング２５とともにサイドバー２２を配置し、その上方から止め金具２４を加締めにて固定して取り付ける。この状態で、サイドバー２２は前面側のタンブラー１５ａの側縁部に圧接される。
【００２０】
その後、シリンダ本体１０の外周部に、スプリング２７とともにコンストラクションカム２６を装着する。この際、コンストラクションカム２６をスプリング２７の付勢力に抗してシリンダ本体１０の鍔部１０ａに当接するまで押し込む。そして、その位置にあるタンブラー１５の押し込み状態を解除する。これにより、タンブラー１５ｂがコンストラクションカム２６のタンブラー凹部３０に係合し、係合壁３１によってコンストラクションカム２６の軸方向への移動が阻止される。
【００２１】
次いで、コンストラクションカム２６とともにシリンダ本体１０をホルダー１内に収容する。この際、各タンブラー１５の押し込みを解除し、それぞれホルダー１内の各第１係合溝６に１つ置きに係合させる。また、サイドバー２２が前面側のタンブラー１５ａの側縁部に押されてシリンダ本体１０から突出し、ホルダー１内の第２係合溝７に係合する。
【００２２】
その後、ホルダー１の先端面に蓄光部材３４を配置し、この状態で、シリンダ本体１０を装着したホルダー１をカバー３２の内部に装着し、ネジ止めにより固定する。
【００２３】
このようにして組み立てられた建物用シリンダ錠では、図５（Ａ）に示すように、コンストラクションカム２６に後方側のタンブラー１５ｂが係合し、コンストラクションカム２６はシリンダ本体１０と共に回転する。したがって、この段階では、コンストラクションカム２６に係合する後方側のタンブラー１５ｂを動作させないコンストラクションキーを挿入して残る前面側のタンブラー１５ａをシリンダ本体１０内に没入動作させることにより開錠操作することが可能である。
【００２４】
前記シリンダ錠を建物のドア４０に取り付ける場合、図２に示すように、そのドア４０の前面パネル４１に形成した穴４１ａにホルダー１の後端部を挿入し、突条２によって回転方向の位置決めを行う。そして、ドア４０の背面パネル４２の背面から棒材４３を利用して取付台４４を介してネジ止めし、カバー３２の後端開口部を前面パネル４１に圧接させることにより装着が完了する。
【００２５】
このようにしてドア４０に装着されたシリンダ錠によれば、ドア４０の前面からカバー３２によって覆われた部分が突出しているので、キー４５の挿入を容易に行うことができる。そして、全長の長いユーザーキーを使用すれば、以下のように、このユーザーキーによってのみ解錠および施錠操作が可能となる。
【００２６】
即ち、全長の長いユーザーキーの挿入により、図５（Ｂ）に示すように、ホルダー１の係合溝に係合する前面側のタンブラー１５ａのみならず、コンストラクションカム２６に係合した後方側のタンブラー１５ｂも移動する。これにより、コンストラクションカム２６はスプリング２７の付勢力によって前面側へスライド移動し、その係合突部２８がホルダー１の係合凹部９に係合して回転不可能となる。
【００２７】
したがって、この段階で、前記コンストラクションキーを挿入しても、ホルダー１と一体化したコンストラクションカム２６に係合する後方側のタンブラー１５ｂをシリンダ本体１０内に没入させることができず、解錠操作を行うことは不可能になる。
【００２８】
一方、全長の長いユーザーキーを使用すれば、前記後方側のタンブラー１５ｂを前面側のタンブラー１５ａとともにシリンダ本体１０内に没入させ、ユーザーキーを回転操作してホルダー１内でシリンダ本体１０を回転させることにより、解錠又は施錠操作を行うことが可能である。
【００２９】
具体的には、コンストラクションキーによる解錠を不可能とした状態で、かつ、ユーザーキーの挿入前の状態では、図６（Ａ）に示すように、各タンブラー１５に形成した切欠部１７は、キー４５の挿入方向において、左右にランダムに位置する。
【００３０】
そして、この状態では、切欠部１７をサイドバー２２に係合させようとしても、他のタンブラー１５の付勢力によりサイドバー２２が戻され、該サイドバー２２をタンブラー１５の切欠部１７に係合させることができない。しかも、前記タンブラー１５に段部２１を設けるとともにシリンダ本体１０に対応する受部１４を設けているため、シリンダ本体１０内からサイドバー２２の装着部分に通じる直線状の隙間がない。そのため、その部分から薄板状の治具を挿入してサイドバー２２を操作することはできない。その結果、ピッキングによって不正に解錠することはできない。
【００３１】
次に、解錠可能なユーザーキーを挿入すると、タンブラー１５のキー穴１６の縁にキー４５のキー山が当接する。そうすると、各タンブラー１５は、スプリング１８の付勢力に抗してシリンダ本体１０のタンブラー穴１２内でスライドし、その係合凸部２０がホルダー１の第１係合溝６内からシリンダ本体１０内に位置する。
【００３２】
これにより、図６（Ｂ）に示すように、キー４５の挿入前の状態でランダムに位置していた切欠部１７が一列に整列する。その結果、サイドバー２２は、スプリング２５の付勢力により、ホルダー１の第２係合溝７内からシリンダ本体１０内に没入し、ユーザがキー４５を回転操作することにより、それに応じてシリンダ本体１０を回転させることができる。
【００３３】
なお、本発明のシリンダ錠は前記実施形態の構成に限定されるものではない。
例えば、前記実施形態では、タンブラー１５に形成する段部２１を、略Ｖ字形状の溝により形成したが、図７（Ａ）に示すように、略Ｖ字形状に突出する突起により構成してもよい。また、溝または突起からなる段部２１の形状は、略Ｖ字形状に限定されず、図７（Ｂ）に示すように、略凹字形状の溝としてもよく、図７（Ｃ）に示すように、凸字形状の突起としてもよい。しかも、図７（Ｄ）に示すように、タンブラー１５において、一端面に凹字形状の溝を設け、他端面に凸字形状の突起を設けてもよい。即ち、前記タンブラー１５の段部２１およびシリンダ本体１０の受部１４の位置は、サイドバー２２の側に位置すれば、その形状や位置は限定されてない。
【００３４】
また、前記実施形態では、シリンダ錠を建物のドア４０に取り付けたが、車両のドア４０に適用しても、前記と同様の作用、効果を得ることができる。
【００３５】
【発明の効果】
以上の説明から明らかなように、本発明のシリンダ錠では、キーの挿入によりシリンダ本体内に没入するタンブラーのほかに、各タンブラーの切欠部が整列することによりシリンダ本体内に没入するサイドバーを設けるようにしたので、盗難防止性に優れている。しかも、前記タンブラーに段部を設けるとともにシリンダ本体に対応する受部を設けているため、シリンダ本体内からサイドバーの装着部分に通じる直線状の隙間をなくすことができる。そのため、その部分から薄板状の治具を挿入してサイドバーを操作することはできない。その結果、ピッキングによってキー挿入穴からの不正な解錠を確実に防止することができる。
【図面の簡単な説明】
【図１】  本発明のシリンダ錠を示す分解斜視図である。
【図２】  組立状態のシリンダ錠の断面図である。
【図３】  第１実施形態のシリンダ本体に対するタンブラーおよびサイドバーの分解斜視図である。
【図４】  （Ａ），（Ｂ）はシリンダ錠を異なる位置で切断した断面図である。
【図５】  （Ａ）はユーザーキーの挿入前の状態を示す断面図、（Ｂ）はユーザーキーの挿入後の状態を示す断面図である。
【図６】  （Ａ）は、キー挿入前の切欠部の状態を示す断面図、（Ｂ）はキー挿入後の切欠部の状態を示す断面図である。
【図７】  （Ａ），（Ｂ），（Ｃ），（Ｄ）はタンブラーに形成する段部およびシリンダ本体に形成する受部の変形例を示す概略正面図である。
【符号の説明】
１…ホルダー，１０…シリンダ本体，１１…キー挿入穴，１２…タンブラー穴，１３…開口部，１４…受部，１５…タンブラー，１６…キー穴，１７…切欠部，２１…段部，２２…サイドバー，２６…コンストラクションカム，３２…カバー，４０…ドア，４５…キー。
【図１】
0003809064.tif 000002
【図２】
0003809064.tif 000003
【図３】
0003809064.tif 000004
【図４】
0003809064.tif 000005
【図５】
0003809064.tif 000006
【図６】
0003809064.tif 000007
【図７】
0003809064.tif 000008